(57)【要約】【課題】印刷物において再現される色域を広げる。【解決手段】複数色のインキを第１の組み合わせにより組み合わせることで再現される色を、該複数色のうちの特定色のインキの量を増やし、該特定色以外の色のインキの量を減らすことで再現する第２の組み合わせを算出する算出手段と、前記第１の組み合わせにおいて使用される前記複数色のインキの総量を超えない範囲で、前記特定色以外の色のインキの量を増やすことにより前記第２の組み合わせを変更し、第３の組み合わせを決定する決定手段と、前記第１の組み合わせと前記第３の組み合わせとの対応関係を示す情報を生成する生成手段とを有する。【選択図】図１
2018129625.tif 000002
【特許請求の範囲】
【請求項１】
複数色のインキを第１の組み合わせにより組み合わせることで再現される色を、該複数色のうちの特定色のインキの量を増やし、該特定色以外の色のインキの量を減らすことで再現する第２の組み合わせを算出する算出手段と、
前記第１の組み合わせにおいて使用される前記複数色のインキの総量を超えない範囲で、前記特定色以外の色のインキの量を増やすことにより前記第２の組み合わせを変更し、第３の組み合わせを決定する決定手段と、
前記第１の組み合わせと前記第３の組み合わせとの対応関係を示す情報を生成する生成手段と
を有することを特徴とする制御装置。
【請求項２】
前記対応関係を示す情報を用いて、画像データの各画素の画素値を変換する変換手段を更に有することを特徴とする請求項１に記載の制御装置。
【請求項３】
前記変換手段により画素値が変換された前記画像データを、印刷装置に出力する出力手段を更に有することを特徴とする請求項２に記載の制御装置。
【請求項４】
複数色のインキを第１の組み合わせにより組み合わせることで再現される色を、該複数色のうちの特定色のインキの量を増やし、該特定色以外の色のインキの量を減らすことで再現する第２の組み合わせを算出し、
前記第１の組み合わせにおいて使用される前記複数色のインキの総量を超えない範囲で、前記特定色以外の色のインキの量を増やすことにより前記第２の組み合わせを変更し、第３の組み合わせを決定し、
前記第１の組み合わせと前記第３の組み合わせとの対応関係を示す情報を生成する、
処理をコンピュータに実行させるための制御プログラム。
【請求項５】
複数色のインキを第１の組み合わせにより組み合わせることで再現される色を、該複数色のうちの特定色のインキの量を増やし、該特定色以外の色のインキの量を減らすことで再現する第２の組み合わせを算出し、
前記第１の組み合わせにおいて使用される前記複数色のインキの総量を超えない範囲で、前記特定色以外の色のインキの量を増やすことにより前記第２の組み合わせを変更し、第３の組み合わせを決定し、
前記第１の組み合わせと前記第３の組み合わせとの対応関係を示す情報を生成する、
処理をコンピュータが実行する制御方法。
【発明の詳細な説明】
【技術分野】
【０００１】
本発明は、制御装置、制御プログラム及び制御方法に関する。
【背景技術】
【０００２】
印刷装置によって印刷される印刷物において再現される色域のうち、最暗部側の色域の広さは、例えば、印刷物にて塗布可能なインキ量によって制限される。
【０００３】
具体的には、インキがにじみやすい印刷物の場合には、塗布可能なインキ量が少ないため、色域は狭まる。反対に、コーティング処理された光沢の高い印刷物の場合には、塗布可能なインキ量が多く、色域は広がる。
【０００４】
このため、印刷装置を制御する制御装置では、印刷の際、印刷物において塗布可能なインキ量の範囲内で適切なインキ量が使用されるよう制御する。例えば、下記特許文献１では、印刷データにおいて肌色と判定した領域について、塗布可能なインキ量の範囲内でインキ量を上げることで、肌色の再現性を向上させるよう制御する制御方法が提案されている。
【先行技術文献】
【特許文献】
【０００５】
【特許文献１】特開２０１２−２４５７５５号公報
【発明の概要】
【発明が解決しようとする課題】
【０００６】
しかしながら、上記制御方法の場合、印刷物の特定の領域について色域を広げることはできるが、当該領域以外の領域については色域を広げることができない。
【０００７】
一つの側面では、印刷物において再現される色域を広げることを目的としている。
【課題を解決するための手段】
【０００８】
一態様によれば、制御装置は、
複数色のインキを第１の組み合わせにより組み合わせることで再現される色を、該複数色のうちの特定色のインキの量を増やし、該特定色以外の色のインキの量を減らすことで再現する第２の組み合わせを算出する算出手段と、
前記第１の組み合わせにおいて使用される前記複数色のインキの総量を超えない範囲で、前記特定色以外の色のインキの量を増やすことにより前記第２の組み合わせを変更し、第３の組み合わせを決定する決定手段と、
前記第１の組み合わせと前記第３の組み合わせとの対応関係を示す情報を生成する生成手段とを有する。
【発明の効果】
【０００９】
印刷物において再現される色域を広げることができる。
【図面の簡単な説明】
【００１０】
【図１】印刷システムのシステム構成及び制御装置の機能構成の一例を示す図である。
【図２】制御装置のハードウェア構成の一例を示す図である。
【図３】制御装置の変換テーブル生成部の機能構成の一例を示す図である。
【図４】変換テーブル生成部により生成される変換テーブルを示す図である。
【図５】色域拡張処理後の色域及び使用される各インキの量の一例を示す図である。
【図６】制御装置の印刷制御部の機能構成の一例を示す図である。
【図７】制御装置による印刷制御処理のフローチャートである。
【図８】印刷制御処理の具体例を示す図である。
【発明を実施するための形態】
【００１１】
以下、各実施形態について添付の図面を参照しながら説明する。なお、本明細書及び図面において、実質的に同一の機能構成を有する構成要素については、同一の符号を付することにより重複した説明を省く。
【００１２】
［第１の実施形態］
＜印刷システムのシステム構成及び制御装置の機能構成＞
はじめに、第１の実施形態に係る制御装置を有する印刷システムのシステム構成及び該制御装置の機能構成について説明する。図１は、印刷システムのシステム構成及び制御装置の機能構成の一例を示す図である。
【００１３】
図１に示すように、印刷システムは、制御装置１００と印刷装置１５０とを有する。印刷システムにおいて、制御装置１００と印刷装置１５０とは通信可能に接続される。
【００１４】
制御装置１００には、原稿生成プログラム、変換テーブル生成プログラム、印刷制御プログラムがインストールされており、各プログラムが実行されることで、制御装置１００は、原稿生成部１１０、変換テーブル生成部１２０、印刷制御部１３０として機能する。
【００１５】
原稿生成部１１０は、印刷装置１５０において印刷される原稿データ（ＲＧＢデータ）を生成する。原稿生成部１１０により生成された原稿データは、原稿生成部１１０が、ユーザからの印刷指示を受け付けることで、印刷制御部１３０に送信される。
【００１６】
変換テーブル生成部１２０は、原稿データを印刷データ（ＣＭＹＫデータ）に変換するための変換テーブルを生成し、プロファイル格納部１４０に格納する。変換テーブル生成部１２０により生成される変換テーブルには、ＲＧＢデータをＣＭＹＫデータに変換する際に用いられる第１の色変換テーブル１４１と、ＣＭＹＫデータの色域を拡張する際に用いられる第２の色変換テーブル１４２とが含まれる。
【００１７】
印刷制御部１３０は、原稿生成部１１０より原稿データが送信されると、該原稿データに含まれる各画素の画素値を、第１の色変換テーブル１４１に基づいて変換し、更に、第２の色変換テーブル１４２に基づいて変換することで、印刷データを生成する。また、印刷制御部１３０は、生成した印刷データを、印刷装置１５０に送信する。
【００１８】
印刷装置１５０は、印刷データに基づいて印刷物に印刷を行う装置である。印刷装置１５０の印刷方式は任意であり、インクジェット方式の印刷装置であっても、レーザ方式の印刷装置であっても、オフセット方式の印刷装置であってもよい。
【００１９】
＜制御装置のハードウェア構成＞
次に、制御装置１００のハードウェア構成について説明する。図２は、制御装置のハードウェア構成の一例を示す図である。図２に示すように、制御装置１００は、ＣＰＵ（Central  Processing  Unit）２０１、ＲＯＭ（Read  Only  Memory）２０２、ＲＡＭ（Random  Access  Memory）２０３を有する。ＣＰＵ２０１、ＲＯＭ２０２、ＲＡＭ２０３は、いわゆるコンピュータを形成する。
【００２０】
また、制御装置１００は、補助記憶装置２０４、表示装置２０５、操作装置２０６、Ｉ／Ｆ（Interface）装置２０７、ドライブ装置２０８を有する。なお、制御装置１００の各部は、バス２０９を介して相互に接続されている。
【００２１】
ＣＰＵ２０１は、補助記憶装置２０４にインストールされている各種プログラム（例えば、原稿生成プログラム、変換テーブル生成プログラム、印刷制御プログラム等）を実行するデバイスである。
【００２２】
ＲＯＭ２０２は、不揮発性メモリである。ＲＯＭ２０２は、補助記憶装置２０４にインストールされている各種プログラムをＣＰＵ２０１が実行するために必要な各種プログラム、データ等を格納する、主記憶デバイスとして機能する。具体的には、ＲＯＭ２０２はＢＩＯＳ（Basic  Input/Output  System）やＥＦＩ（Extensible  Firmware  Interface）等のブートプログラム等を格納する。
【００２３】
ＲＡＭ２０３は、ＤＲＡＭ（Dynamic  Random  Access  Memory）やＳＲＡＭ（Static  Random  Access  Memory）等の揮発性メモリである。ＲＡＭ２０３は、補助記憶装置２０４にインストールされている各種プログラムがＣＰＵ２０１によって実行される際に展開される作業領域を提供する、主記憶デバイスとして機能する。
【００２４】
補助記憶装置２０４は、各種プログラムや、各種プログラムが実行されることで生成される情報、ならびに各種プログラムが実行される際に用いられる情報を格納する補助記憶デバイスである。プロファイル格納部１４０は、補助記憶装置２０４において実現される。
【００２５】
表示装置２０５は、原稿データ等を表示する表示デバイスである。操作装置２０６は、制御装置１００のユーザが制御装置１００に対して各種指示（原稿データを生成するための指示、原稿データを印刷するための印刷指示等）を入力するための入力デバイスである。Ｉ／Ｆ装置２０７は、印刷装置１５０と通信を行うための通信デバイスである。
【００２６】
ドライブ装置２０８は記録媒体２１０をセットするためのデバイスである。ここでいう記録媒体２１０には、ＣＤ−ＲＯＭ、フレキシブルディスク、光磁気ディスク等のように情報を光学的、電気的あるいは磁気的に記録する媒体が含まれる。また、記録媒体２１０には、ＲＯＭ、フラッシュメモリ等のように情報を電気的に記録する半導体メモリ等が含まれていてもよい。
【００２７】
なお、補助記憶装置２０４に格納される各種プログラムは、例えば、配布された記録媒体２１０がドライブ装置２０８にセットされ、該記録媒体２１０に記録された各種プログラムがドライブ装置２０８により読み出されることでインストールされる。
【００２８】
＜制御装置の変換テーブル生成部の機能構成＞
次に、制御装置１００の変換テーブル生成部１２０の機能構成について説明する。図３は、制御装置の変換テーブル生成部の機能構成の一例を示す図である。
【００２９】
図３に示すように、制御装置１００の変換テーブル生成部１２０は、色域情報取得部３１０、ＧＣＲ（Gray  Component  Replacement）処理部３２０、色域拡張部３３０、生成部３４０を有する。
【００３０】
色域情報取得部３１０は、制御装置１００の表示装置２０５において再現可能なＲＧＢ色空間における色域を示す色域情報と、印刷装置１５０において再現可能なＣＭＹＫ色空間における色域を示す色域情報とを取得する。また、色域情報取得部３１０は、取得した色域情報に基づいて、ＲＧＢ色空間における各ＲＧＢ階調値と、ＣＭＹＫ色空間における各ＣＭＹＫ階調値との対応関係を示すＲＧＢ−ＣＭＹＫ色変換テーブルを生成する。
【００３１】
なお、このとき生成されるＲＧＢ−ＣＭＹＫ色変換テーブルの各ＣＭＹＫ階調値は、該各ＣＭＹＫ階調値に基づいて印刷を行った場合に使用されるインキ総量が、対象となる印刷物において塗布可能なインキ総量の範囲内に収まるように決定されているものとする。
【００３２】
色域情報取得部３１０は、生成したＲＧＢ−ＣＭＹＫ色変換テーブルを、第１の色変換テーブル１４１として、プロファイル格納部１４０に格納する。
【００３３】
ＧＣＲ処理部３２０は算出手段の一例であり、第１の色変換テーブル１４１（ＲＧＢ−ＣＭＹＫ色変換テーブル）に含まれる、各ＣＭＹＫ階調値に対して、ＧＣＲ処理を行う。ＧＣＲ処理とは、Ｃ、Ｍ、Ｙの３色が重なる部分のグレー成分を、全て、ある比率でＫに置き換える処理をいう（つまり、同じ色を再現するためのＣＭＹＫ階調値の異なる組み合わせを算出する処理をいう）。
【００３４】
なお、ＧＣＲ処理後の各ＣＭＹＫ階調値（ここでは、Ｃ’Ｍ’Ｙ’Ｋ’階調値と称す）に基づいて印刷を行った場合に使用されるインキ総量は、ＧＣＲ処理前のＣＭＹＫ階調値に基づいて印刷を行った場合に使用されるインキ総量と比較して少なくなる。つまり、ＧＣＲ処理前のＣＭＹＫ階調値と、該ＣＭＹＫ階調値に対応する、ＧＣＲ処理後のＣ’Ｍ’Ｙ’Ｋ’階調値とは、Ｃ＞Ｃ’、Ｍ＞Ｍ’、Ｙ＞Ｙ’、Ｋ＜Ｋ’の関係となる。
【００３５】
ＧＣＲ処理部３２０は、ＧＣＲ処理前の各ＣＭＹＫ階調値と、ＧＣＲ処理後の各Ｃ’Ｍ’Ｙ’Ｋ’階調値との対応関係を示すＣＭＹＫ−Ｃ’Ｍ’Ｙ’Ｋ’色変換テーブルを生成する。
【００３６】
色域拡張部３３０は決定手段の一例であり、ＣＭＹＫ−Ｃ’Ｍ’Ｙ’Ｋ’色変換テーブルに含まれる、各Ｃ’Ｍ’Ｙ’Ｋ’階調値に対して、色域拡張処理を行う。具体的には、色域拡張部３３０は、ＧＣＲ処理によりＣＭＹ階調値よりも階調値が低下した、Ｃ’、Ｍ’、Ｙ’階調値について最暗部側の階調値を上げ、Ｃ’’、Ｍ’’、Ｙ’’階調値を決定する。
【００３７】
このとき、色域拡張部３３０は、ＧＣＲ処理前のＣＭＹＫ階調値に基づいて印刷を行った場合に使用されるインキの総量を超えない範囲で、各インキ量を増やすように階調値を上げる。このため、色域拡張処理前のＣ’、Ｍ’、Ｙ’階調値と、該Ｃ’、Ｍ’、Ｙ’階調値に対応する、色域拡張処理後のＣ’’、Ｍ’’、Ｙ’’階調値とは、Ｃ’＜Ｃ’’、Ｍ’＜Ｍ’’、Ｙ’＜Ｙ’’の関係となる。なお、色域拡張処理後のＣ’’、Ｍ’’、Ｙ’’階調値は、例えば、色域拡張処理前のＣ’Ｍ’Ｙ’Ｋ’階調値により再現される色が最暗部に近いほど（明度が低いほど）、階調値の上げ幅が大きくなるように決定するものとする。
【００３８】
このように、印刷物において塗布可能なインキ総量の範囲内で各インキ量を増やすように階調値を決定することで、色域拡張部３３０によれば、様々な彩度、色相において最暗部側の色域を拡張することができる。
【００３９】
色域拡張部３３０は、色域拡張処理前の各Ｃ’Ｍ’Ｙ’Ｋ’階調値と、色域拡張処理後の各Ｃ’’Ｍ’’Ｙ’’Ｋ’階調値との対応関係を示すＣ’Ｍ’Ｙ’Ｋ’−Ｃ’’Ｍ’’Ｙ’’Ｋ’色変換テーブルを生成する。
【００４０】
生成部３４０は生成手段の一例であり、ＧＣＲ処理前の各ＣＭＹＫ階調値と、色域拡張処理後の各Ｃ’’Ｍ’’Ｙ’’Ｋ’階調値との対応関係を示すＣＭＹＫ−Ｃ’’Ｍ’’Ｙ’’Ｋ’色変換テーブルを生成する。また、生成部３４０は、生成したＣＭＹＫ−Ｃ’’Ｍ’’Ｙ’’Ｋ’色変換テーブルを、第２の色変換テーブル１４２として、プロファイル格納部１４０に格納する。
【００４１】
図４は、変換テーブル生成部により生成される変換テーブルを示す図である。このうち、図４（ａ）は、ＧＣＲ処理部３２０により算出された各Ｃ’Ｍ’Ｙ’Ｋ’階調値及び色域拡張部３３０により決定された各Ｃ’’Ｍ’’Ｙ’’Ｋ’階調値を示す図である。図４（ａ）に示すように、印刷装置１５０のＣＭＹＫ色空間における色域に含まれるｎ個の各ＣＭＹＫ階調値に対して、ＧＣＲ処理部３２０がＧＣＲ処理を行うことで、ＧＣＲ処理部３２０は、ｎ個の各Ｃ’Ｍ’Ｙ’Ｋ’階調値を算出する。更に、ｎ個の各Ｃ’Ｍ’Ｙ’Ｋ’階調値に対して、色域拡張部３３０が色域拡張処理を行うことで、色域拡張部３３０は、ｎ個の各Ｃ’’、Ｍ’’、Ｙ’’Ｋ’階調値を決定する。
【００４２】
図４（ｂ）は、生成部３４０により生成される第２の色変換テーブル１４２を示す図である。図４（ｂ）に示すように、生成部３４０は、図４（ａ）の“印刷装置の色域に含まれる各ＣＭＹＫ階調値”と、“色域拡張処理後の各Ｃ’’、Ｍ’’、Ｙ’’Ｋ’階調値”との対応関係から、ＣＭＹＫ−Ｃ’’Ｍ’’Ｙ’’Ｋ’色変換テーブルを生成する。そして、生成部３４０は、生成したＣＭＹＫ−Ｃ’’Ｍ’’Ｙ’’Ｋ’色変換テーブルを、第２の色変換テーブル１４２として、プロファイル格納部１４０に格納する。
【００４３】
＜色域拡張処理前後の色域及び使用される各インキの量＞
次に、色域拡張部３３０による色域拡張処理前後の印刷装置１５０の色域、及び、印刷を行った場合に使用される各インキの量について説明する。図５は、色域拡張処理前後の色域及び使用される各インキの量の一例を示す図である。
【００４４】
図５（ａ）は、色域拡張処理前後のＬａｂ色空間（Ｌ：明度、ａ：彩度、ｂ：色相）における色域を示す図である。図５（ａ）に示すように、色域拡張処理前の色域５１０に対して、色域拡張処理後の色域５２０は、様々な彩度、色相において最暗部側に拡張する。
【００４５】
具体的には、色域拡張処理前の最明部５１３、最暗部５１４に対して、色域拡張処理後は、最明部５１３は変化しないが、最暗部５１４は最暗部５２４に拡張する。また、色域拡張処理前の色域５１０の各彩度、各色相の最暗部側の境界線５１１、５１２は、境界線５２１、５２２に拡張する。
【００４６】
図５（ｂ）は、印刷を行った場合に使用される各インキの量を示す図であり、インクジェット方式の印刷装置１５０において使用される各インキの量を模式的に示している。このうち、符号５３１は、ＧＣＲ処理前のＣＭＹＫ階調値（ここでは、Ｃ１Ｍ１Ｙ１Ｋ１とする）に基づいて印刷を行った場合に使用される各インキの量を示している。
【００４７】
一方、符号５３２は、ＧＣＲ処理後のＣ’Ｍ’Ｙ’Ｋ’階調値（ここでは、Ｃ’１Ｍ’１Ｙ’１Ｋ’１とする）に基づいて印刷を行った場合に使用される各インキの量を示している。更に、符号５３３は、色域拡張処理後のＣ’’Ｍ’’Ｙ’’Ｋ’階調値（ここでは、Ｃ’’１Ｍ’’１Ｙ’’１Ｋ’１とする）に基づいて印刷を行った場合に印刷される各インキの量を示している。
【００４８】
図５（ｂ）の例では、符号５３３で示すインキの総量は、符号５３１で示すインキの総量と略等しく、符号５３１に基づいて印刷を行った場合よりも、同じインキの総量で最暗部側の色域を拡張することができる。
【００４９】
図５（ｃ）は、印刷を行った場合に使用される各インキの量を示す図であり、レーザ方式の印刷装置１５０またはオフセット方式の印刷装置１５０において使用される各インキの量を模式的に示している。このうち、符号５４１は、ＧＣＲ処理前のＣＭＹＫ階調値（ここでは、Ｃ１Ｍ１Ｙ１Ｋ１とする）に基づいて印刷を行った場合に使用される各インキの量を示している。
【００５０】
一方、符号５４２は、ＧＣＲ処理後のＣ’Ｍ’Ｙ’Ｋ’階調値（ここでは、Ｃ’１Ｍ’１Ｙ’１Ｋ’１とする）に基づいて印刷を行った場合に使用される各インキの量を示している。更に、符号５４３は、色域拡張処理後のＣ’’Ｍ’’Ｙ’’Ｋ’階調値（ここでは、Ｃ’’１Ｍ’’１Ｙ’’１Ｋ’１とする）に基づいて印刷を行った場合に使用される各インキの量を示している。
【００５１】
図５（ｃ）の例では、符号５４３で示すインキの総量は、符号５４１で示すインキの総量と略等しく、符号５４１に基づいて印刷を行った場合よりも、同じインキの総量で最暗部側の色域を拡張することができる。
【００５２】
＜制御装置の印刷制御部の機能構成＞
次に、制御装置１００の印刷制御部１３０の機能構成について説明する。図６は、制御装置の印刷制御部の機能構成の一例を示す図である。
【００５３】
図６に示すように、制御装置１００の印刷制御部１３０は、原稿データ取得部６１０、第１色変換部６２０、第２色変換部６３０、印刷データ出力部６４０を有する。
【００５４】
原稿生成部１１０より原稿データ（ＲＧＢデータ）が送信されると、原稿データ取得部６１０は、該原稿データを取得し、第１色変換部６２０に通知する。
【００５５】
第１色変換部６２０は、第１の色変換テーブル１４１を参照し、原稿データ取得部６１０より通知された原稿データの各画素の画素値を、ＣＭＹＫデータに変換する。また、変換後の原稿データ（ＣＭＹＫデータ）を第２色変換部６３０に通知する。
【００５６】
第２色変換部６３０は変換手段の一例であり、第２の色変換テーブル１４２を参照し、第１色変換部６２０より通知された原稿データの各画素の画素値を、Ｃ’’Ｍ’’Ｙ’’Ｋ’データに変換する。また、変換後の原稿データ（Ｃ’’Ｍ’’Ｙ’’Ｋ’データ）を印刷データ出力部６４０に通知する。
【００５７】
印刷データ出力部６４０は出力手段の一例であり、第２色変換部６３０より通知された原稿データ（Ｃ’’Ｍ’’Ｙ’’Ｋ’データ）を、印刷データとして、印刷装置１５０に送信する。
【００５８】
＜制御装置による印刷制御処理の流れ＞
次に、制御装置１００による印刷制御処理の流れについて説明する。図７は、制御装置による印刷制御処理のフローチャートである。原稿生成部１１０において原稿データが生成され、印刷指示が入力されることで、原稿生成部１１０より原稿データが送信されると、図７に示すフローチャートが実行される。
【００５９】
ステップＳ７０１において、原稿データ取得部６１０は、原稿生成部１１０より原稿データ（ＲＧＢデータ）を取得する。
【００６０】
ステップＳ７０２において、第１色変換部６２０は、第１の色変換テーブル１４１を読み出す。
【００６１】
ステップＳ７０３において、第１色変換部６２０は、原稿データ（ＲＧＢデータ）の各画素の画素値を、第１の色変換テーブル１４１に基づいて、ＣＭＹＫデータに変換する。
【００６２】
ステップＳ７０４において、第１色変換部６２０は、原稿データに含まれる全ての画素の画素値について変換が完了したか否かを判定する。ステップＳ７０４において、変換が完了していないと判定した場合には（ステップＳ７０４においてＮｏの場合には）、ステップＳ７０３に戻る。
【００６３】
一方、ステップＳ７０４において、全ての画素の画素値について変換が完了したと判定した場合には（ステップＳ７０４においてＹｅｓの場合には）、ステップＳ７０５に進む。
【００６４】
ステップＳ７０５において、第１色変換部６２０は、原稿データ（ＣＭＹＫデータ）を第２色変換部６３０に通知する。
【００６５】
ステップＳ７０６において、第２色変換部６３０は、第２の色変換テーブル１４２を読み出す。
【００６６】
ステップＳ７０７において、第２色変換部６３０は、原稿データ（ＣＭＹＫデータ）の各画素の画素値を、第２の色変換テーブル１４２に基づいて、Ｃ’’Ｍ’’Ｙ’’Ｋ’データに変換する。
【００６７】
ステップＳ７０８において、第２色変換部６３０は、原稿データに含まれる全ての画素の画素値について変換が完了したか否かを判定する。ステップＳ７０８において、変換が完了していないと判定した場合には（ステップＳ７０８においてＮｏの場合には）、ステップＳ７０７に戻る。
【００６８】
一方、ステップＳ７０８において、全ての画素の画素値について変換が完了したと判定した場合には（ステップＳ７０８においてＹｅｓの場合には）、ステップＳ７０９に進む。
【００６９】
ステップＳ７０９において、印刷データ出力部６４０は、第２色変換部６３０により変換された原稿データ（Ｃ’’Ｍ’’Ｙ’’Ｋ’データ）を、印刷データとして、印刷装置１５０に送信する。
【００７０】
図８は、印刷制御処理の具体例を示す図である。図８に示すように、原稿データ８００は、（Ｘ１，Ｙ１）から（Ｘｐ，Ｙｑ）までのｐ×ｑ画素の画素値を有し、それぞれの画素の画素値は、第１の色変換テーブル１４１、第２の色変換テーブル１４２により変換される。この結果、Ｃ’’Ｍ’’Ｙ’’Ｋ’データに変換された印刷データが、印刷装置１５０に送信されることになる。
【００７１】
以上の説明から明らかなように、制御装置１００は、ＧＣＲ処理部３２０が、ＣＭＹＫ階調値の組み合わせで再現される色をＧＣＲ処理し、Ｃ’Ｍ’Ｙ’Ｋ’  階調値の組み合わせを算出する。また、色域拡張部３３０が、ＣＭＹＫ階調値の組み合わせに基づいて印刷を行った場合に使用されるインキの総量を超えない範囲で各インキ量を増やすように、Ｃ’、Ｍ’、Ｙ’階調値を上げ、Ｃ’’Ｍ’’Ｙ’’Ｋ’  階調値の組み合わせを決定する。更に、制御装置１００は、ＣＭＹＫ階調値の組み合わせとＣ’’Ｍ’’Ｙ’’Ｋ’  階調値の組み合わせとの対応関係を示す第２の色変換テーブル１４２を生成し、プロファイル格納部１４０に格納する。
【００７２】
これにより、制御装置１００によれば、第２の色変換テーブル１４２を用いて、原稿データ（ＣＭＹＫデータ）の各画素の画素値を変換することが可能となり、同じインキの総量でも様々な彩度、色相において最暗部側の色域を拡張することができる。
【００７３】
つまり、制御装置１００によれば、印刷物において再現される色域を拡張することができる。
【００７４】
［第２の実施形態］
上記第１の実施形態では、制御装置１００に原稿生成部１１０を設け、制御装置１００において原稿データを生成するものとして説明したが、原稿生成部１１０は、他の装置に設けてもよい。この場合、印刷制御部１３０は、他の装置から原稿データ（ＲＧＢデータ）を取得する。
【００７５】
また、上記第１の実施形態では、印刷制御部１３０が取得する原稿データが、ＲＧＢデータであるとして説明したが、印刷制御部１３０が取得する原稿データは、ＣＭＹＫデータであってもよい。この場合、印刷制御部１３０における第１色変換部６２０による色変換処理は実行されない。
【００７６】
また、上記第１の実施形態では、ＧＣＲ処理により階調値が低下した、Ｃ’、Ｍ’、Ｙ’階調値それぞれについて、ＧＣＲ処理前のＣＭＹＫ階調値に基づいて印刷を行った場合に使用されるインキの総量を超えない範囲で各インキ量を増やすように階調値を上げた。しかしながら、Ｃ’’、Ｍ’’、Ｙ’’階調値の決定方法はこれに限定されず、Ｃ’、Ｍ’、Ｙ’階調値のうちのいずれか１つの階調値を上げるようにしてもよい。
【００７７】
また、上記第１の実施形態において、このときの階調値の上げ幅は、Ｃ’、Ｍ’、Ｙ’Ｋ’階調値により再現される色が最暗部に近いほど（明度が低いほど）大きくなるように（つまり、明度に対して線形となるように）決定するものとして説明した。しかしながら、階調値の上げ幅は、Ｃ’、Ｍ’、Ｙ’Ｋ’階調値により再現される色の明度に対して非線形となるように決定してもよい。
【００７８】
また、上記第１の実施形態では、ＧＣＲ処理を用いることで、使用するインキ総量を減らすものとして説明した。しかしながら、インキ総量を減らす方法は、ＧＣＲ処理に限定されない。ＣＭＹＫ階調値において、Ｋ階調値以外の色を特定色とし、当該特定色以外の色の階調値を下げることで、使用するインキ総量を減らすようにしてもよい。
【００７９】
また、上記第１の実施形態では、ＣＭＹＫ色空間の色域を拡張する場合について説明したが、ＣＭＹＫ色空間以外の色空間の色域を拡張する場合に適用してもよい。
【００８０】
なお、開示の技術では、以下に記載する付記のような形態が考えられる。
（付記１）
複数色のインキを第１の組み合わせにより組み合わせることで再現される色を、該複数色のうちの特定色のインキの量を増やし、該特定色以外の色のインキの量を減らすことで再現する第２の組み合わせを算出する算出手段と、
前記第１の組み合わせにおいて使用される前記複数色のインキの総量を超えない範囲で、前記特定色以外の色のインキの量を増やすことにより前記第２の組み合わせを変更し、第３の組み合わせを決定する決定手段と、
前記第１の組み合わせと前記第３の組み合わせとの対応関係を示す変換テーブルを生成する生成手段と
を有することを特徴とする制御装置。
（付記２）
対応関係を示す情報を用いて、画像データの各画素の画素値を変換する変換手段を更に有することを特徴とする付記１に記載の制御装置。
（付記３）
前記変換手段により画素値が変換された前記画像データを、印刷装置に出力する出力手段を更に有することを特徴とする付記２に記載の制御装置。
（付記４）
複数色のインキを第１の組み合わせにより組み合わせることで再現される色を、該複数色のうちの特定色のインキの量を増やし、該特定色以外の色のインキの量を減らすことで再現する第２の組み合わせを算出し、
前記第１の組み合わせにおいて使用される前記複数色のインキの総量を超えない範囲で、前記特定色以外の色のインキの量を増やすことにより前記第２の組み合わせを変更し、第３の組み合わせを決定し、
前記第１の組み合わせと前記第３の組み合わせとの対応関係を示す変換テーブルを生成する、
処理をコンピュータに実行させるための制御プログラム。
（付記５）
複数色のインキを第１の組み合わせにより組み合わせることで再現される色を、該複数色のうちの特定色のインキの量を増やし、該特定色以外の色のインキの量を減らすことで再現する第２の組み合わせを算出し、
前記第１の組み合わせにおいて使用される前記複数色のインキの総量を超えない範囲で、前記特定色以外の色のインキの量を増やすことにより前記第２の組み合わせを変更し、第３の組み合わせを決定し、
前記第１の組み合わせと前記第３の組み合わせとの対応関係を示す情報を生成する、
処理をコンピュータが実行する制御方法。
【００８１】
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【００８２】
１００              ：制御装置
１１０              ：原稿生成部
１２０              ：変換テーブル生成部
１３０              ：印刷制御部
１４０              ：プロファイル格納部
１４１              ：第１の色変換テーブル
１４２              ：第２の色変換テーブル
３１０              ：色域情報取得部
３２０              ：ＧＣＲ処理部
３３０              ：色域拡張部
３４０              ：生成部
５１０              ：色域
５２０              ：色域
６１０              ：原稿データ取得部
６２０              ：第１色変換部
６３０              ：第２色変換部
６４０              ：印刷データ出力部
８００              ：原稿データ
【図１】
2018129625.tif 000003
【図２】
2018129625.tif 000004
【図３】
2018129625.tif 000005
【図４】
2018129625.tif 000006
【図５】
2018129625.tif 000007
【図６】
2018129625.tif 000008
【図７】
2018129625.tif 000009
【図８】
2018129625.tif 000010